(57)【特許請求の範囲】
【請求項１】
予め指定された変倍率に応じた第１分解能及び予め定められた第１読取周期で原稿の一方の面の画像である第１画像データを読み取る第１画像読取手段と、
光源から照射される光を蓄積し、予め固定された第２分解能及び前記変倍率に応じた第２読取周期で前記原稿の他方の面の画像である第２画像データを読み取る第２画像読取手段と、
前記第１画像読取手段によって読み取った第１画像データと前記第２画像読取手段によって読み取った第２画像データのＳ／Ｎ比を検出するＳ／Ｎ検出手段と、
前記Ｓ／Ｎ検出手段によって検出したＳ／Ｎ比に基づいて前記第２画像読取手段の画像読み取り時の光蓄積時間を可変する制御手段とを備えたことを特徴とする画像読取装置。
【請求項２】
前記第２画像読取手段は、前記第１画像データのＳ／Ｎ比に基づいて、前記第２画像データの読み取り時の光蓄積時間を、前記第２読取周期の下限値以下の範囲内で可変制御する手段を有することを特徴とする請求項１記載の画像読取装置。
【請求項３】
前記第２画像読取手段は、前記第１画像データのＳ／Ｎ比に基づいて、前記光源の点灯を制御して、前記光蓄積時間を前記第２読取周期の下限値以下の範囲内で可変制御する手段を有することを特徴とする請求項１記載の画像読取装置。
【請求項４】
前記第２画像読取手段は、前記第２読取周期毎に入力されるライン同期信号に従って前記原稿の他方の面の画像を１ライン分読み取り、前記ライン同期信号と同期して入力が開始されると共に前記下限値以下で入力が終了される点灯信号に従って前記光源を点灯させる手段を有することを特徴とする請求項３記載の画像読取装置。
【請求項５】
前記第２画像読取手段は、前記第２読取周期毎に入力されるライン同期信号に従って前記原稿の他方の面の画像を１ライン分読み取り、前記ライン同期信号と同期して入力が開始されると共に前記下限値以下で入力が終了される制御信号に従って前記光源から照射される光を蓄積する手段を有することを特徴とする請求項２記載の画像読取装置。
【請求項６】
前記変倍率に応じた搬送速度で原稿を搬送する搬送手段を設けたことを特徴とする請求項１乃至５のいずれか１項に記載の画像読取装置。
【請求項７】
前記第２画像データを前記変倍率で電気的に変倍する変倍手段を設けたことを特徴とする請求項１乃至６のいずれか１項に記載の画像読取装置。
【請求項８】
前記第１画像読取手段は、第１モードでは、前記変倍率に応じた前記第１分解能及び前記第１読取周期で前記原稿の一方の面から前記第１画像データを読み取り、第２モードでは、予め定められた前記第１分解能及び前記第１読取周期で前記原稿の一方の面から前記第１画像データを読み取る手段を、
前記第２画像読取手段は、前記第１モードでは、前記第２分解能及び前記変倍率に応じた前記第２読取周期で前記原稿の他方の面から前記第２画像データを読み取り、前記第２モードでは、前記第２分解能及び予め定められた前記第２読取周期で前記原稿の他方の面から前記第２画像データを読み取る手段を、
前記変倍手段は、前記第２モードで読み取られた前記第１画像データを前記変倍率で電気的に変倍する手段をそれぞれ有することを特徴とする請求項７記載の画像読取装置。
【請求項９】
前記第１モードは、生産性を優先する生産性モードであり、前記第２モードは、再利用性を優先する再利用性モードであることを特徴とする請求項８記載の画像読取装置。
【請求項１０】
前記第１モードは、第１アプリモードであり、前記第２モードは、第２アプリモードであることを特徴とする請求項８記載の画像読取装置。
【請求項１１】
前記第１画像読取手段は、片面読取モードでは、前記変倍率に応じた前記第１分解能及び前記第１読取周期で前記原稿の一方の面から前記第１画像データを読み取り、両面読取モードでは、予め定められた前記第１分解能及び前記第１読取周期で前記原稿の一方の面から前記第１画像データを読み取る手段を、
前記第２画像読取手段は、前記両面読取モードでは、前記第２分解能及び予め定められた前記第２読取周期で前記原稿の他方の面から前記第２画像データを読み取る手段を、
前記変倍手段は、前記両面読取モードで読み取られた前記第１画像データを前記変倍率で電気的に変倍する手段をそれぞれ有することを特徴とする請求項７記載の画像読取装置。
【請求項１２】
請求項１乃至１１のいずれか１項に記載の画像読取装置を備えたことを特徴とする画像形成装置。
【請求項１３】
請求項８乃至１０のいずれか１項に記載の画像読取装置と、前記モードの種類を選択入力するモード入力手段とを備えたことを特徴とする画像形成装置。
【発明の詳細な説明】
【技術分野】
【０００１】
この発明は、スキャナを含む画像読取装置、その画像読取装置を備えた複写機、ファクシミリを含む画像形成装置に関する。
【背景技術】
【０００２】
近年、原稿読み取りの生産性向上、原稿の保護、及び静音性の向上などを目的として、原稿の両面を同時に読み取ることが可能な両面同時読取機構を有する画像読取装置が提案されている。
このような画像形成装置では、従来、原稿の表面の画像の読み取りには、従来の画像形成装置と同様に、ＣＣＤ（Ｃｈａｒｇｅ  Ｃｏｕｐｌｅｄ  Ｄｅｖｉｃｅ）が用いられ、原稿の裏面の画像の読み取りには、密着等倍イメージセンサ（Ｃｏｎｔａｃｔ  Ｉｍａｇｅ  Ｓｅｎｓｏｒ：ＣＩＳ）が用いられている装置（例えば、特許文献１、２参照）があった。
上記ＣＩＳには、ＣＩＳモジュール内部で画像処理機能を有するものがある。
このようなＣＩＳでは、ＣＩＳモジュール内部でのライン間補正が画像処理前に必要となるが、ライン間補正用のメモリを低減してコストを削減するため、副走査方向へは固定の分解能（したがって、走査速度も固定になる）で読み取ることを前提としている場合がある。
【０００３】
このように、分解能が予め固定されているＣＩＳの場合、ＣＩＳは変倍の指定がなされても分解能を変更して機械的に変倍を行うことができない。この機械的な変倍とは、イメージセンサの検知時の分解能を変えて画像データを変倍することである。
このため、ＣＩＳは、変倍の指定がなされた場合でも、変倍率によらず常に固定の分解能（等倍）で原稿の画像を読み取る。
そして、後段の画像処理部や制御部が、電気的な変倍処理により、ＣＩＳにより読み取られた画像データを指定された倍率へ変倍することになる。この電気的な変倍処理とは、読み取った画像を画像処理で指定された倍率に変倍することである。
例えば、固定の分解能が６００ｄｐｉであり、画像データを５０％に変倍するものとする。
この場合、分解能が可変であれば、分解能：３００ｄｐｉで原稿を読み取ることにより、分解能：６００ｄｐｉで原稿の読み取る場合と比べ副走査方向に２倍の読取速度で原稿を読み取り、機械的な変倍を行うことが可能となる。
【０００４】
しかし、分解能が固定されたＣＩＳでは、分解能：３００ｄｐｉで原稿を読み取って機械的な変倍を行うことはできず、分解能：６００ｄｐｉで原稿を読み取った後に電気的な変倍処理により、分解能：３００ｄｐｉへの変倍を行わなければならない。
また、表面と裏面では読取手段が異なると、Ｓ／Ｎ特性も異なってしまう。
Ｓ／Ｎ特性とは、イメージセンサの信号対ノイズの比を示すＳ／Ｎ比ｄＢ（デシベル）を特性値としたものであり、信号の品質を表す数値である。この数値が大きいほど雑音が少なく高品質の信号が得られる。
この為、像域分離による読取画像の適応処理を行う場合、分離性能の差異により出力画像へ影響が生じていた。
【発明の概要】
【発明が解決しようとする課題】
【０００５】
しかしながら、上述した従来の技術では、分解能が固定されている場合であっても電気的な変倍処理により変倍を行うことはできるものの、機械的な変倍を行う場合に比べ、原稿の読み取り速度が低下し、生産性が低下するという問題があった。
また、原稿の裏面と表面で読み取った画像のＳ／Ｎ特性に差異があるため、出力画像品質に影響を及ぼすという問題があった。
この発明は上記の点に鑑みてなされたものであり、原稿の裏面と表面で読み取った画像のＳ／Ｎ特性に差異が生じさせずに出力画像品質を向上させることを目的とする。
【課題を解決するための手段】
【０００６】
この発明は上記の目的を達成するため、予め指定された変倍率に応じた第１分解能及び予め定められた第１読取周期で原稿の一方の面の画像である第１画像データを読み取る第１画像読取手段と、光源から照射される光を蓄積し、予め固定された第２分解能及び上記変倍率に応じた第２読取周期で上記原稿の他方の面の画像である第２画像データを読み取る第２画像読取手段と、上記第１画像読取手段によって読み取った第１画像データと上記第２画像読取手段によって読み取った第２画像データのＳ／Ｎ比を検出するＳ／Ｎ検出手段と、上記Ｓ／Ｎ検出手段によって検出したＳ／Ｎ比に基づいて上記第２画像読取手段の画像読み取り時の光蓄積時間を可変する制御手段を備えた画像読取装置を提供する。
【０００７】
また、上記第２画像読取手段が、上記第１画像データのＳ／Ｎ比に基づいて、上記第２画像データの読み取り時の光蓄積時間を、上記第２読取周期の下限値以下の範囲内で可変制御する手段、上記第１画像データのＳ／Ｎ比に基づいて、上記光源の点灯を制御して、上記光蓄積時間を上記第２読取周期の下限値以下の範囲内で可変制御する手段のいずれかを有するようにするとよい。
さらに、上記第２画像読取手段が、上記第２読取周期毎に入力されるライン同期信号に従って上記原稿の他方の面の画像を１ライン分読み取り、上記ライン同期信号と同期して入力が開始されると共に上記下限値以下で入力が終了される点灯信号に従って上記光源を点灯させる手段を有するようにするとよい。
【０００８】
また、上記第２画像読取手段が、上記第２読取周期毎に入力されるライン同期信号に従って上記原稿の他方の面の画像を１ライン分読み取り、上記ライン同期信号と同期して入力が開始されると共に上記下限値以下で入力が終了される制御信号に従って上記光源から照射される光を蓄積する手段を有するようにするとよい。
さらに、上記変倍率に応じた搬送速度で原稿を搬送する搬送手段を設けるとよい。
また、上記第２画像データを上記変倍率で電気的に変倍する変倍手段を設けるとよい。
【０００９】
さらに、上記第１画像読取手段は、第１モードでは、上記変倍率に応じた上記第１分解能及び上記第１読取周期で上記原稿の一方の面から上記第１画像データを読み取り、第２モードでは、予め定められた上記第１分解能及び上記第１読取周期で上記原稿の一方の面から上記第１画像データを読み取る手段を、上記第２画像読取手段は、上記第１モードでは、上記第２分解能及び上記変倍率に応じた上記第２読取周期で上記原稿の他方の面から上記第２画像データを読み取り、上記第２モードでは、上記第２分解能及び予め定められた上記第２読取周期で上記原稿の他方の面から上記第２画像データを読み取る手段を、上記変倍手段は、上記第２モードで読み取られた上記第１画像データを上記変倍率で電気的に変倍する手段をそれぞれ有するようにするとよい。
【００１０】
また、上記第１モードは、生産性を優先する生産性モードであり、上記第２モードは、再利用性を優先する再利用性モードであるようにするとよい。
あるいは、上記第１モードは、第１アプリモードであり、上記第２モードは、第２アプリモードであるようにするとよい。
【００１１】
さらに、上記第１画像読取手段は、片面読取モードでは、上記変倍率に応じた上記第１分解能及び上記第１読取周期で上記原稿の一方の面から上記第１画像データを読み取り、両面読取モードでは、予め定められた上記第１分解能及び上記第１読取周期で上記原稿の一方の面から上記第１画像データを読み取る手段を、上記第２画像読取手段は、上記両面読取モードでは、上記第２分解能及び予め定められた上記第２読取周期で上記原稿の他方の面から上記第２画像データを読み取る手段を、上記変倍手段は、上記両面読取モードで読み取られた上記第１画像データを上記変倍率で電気的に変倍する手段をそれぞれ有するようにするとよい。
【００１２】
また、上記のような画像読取装置を備えた画像形成装置を提供する。
さらに、上記のような画像読取装置と、上記モードの種類を選択入力するモード入力手段を備えた画像形成装置を提供する。
【発明の効果】
【００１３】
この発明による画像読取装置と画像形成装置は、原稿の裏面と表面で読み取った画像のＳ／Ｎ特性に差異を生じさせずに出力画像品質を向上させることができる。
【図面の簡単な説明】
【００１４】
【図１】図２に示す画像処理部とコントローラとの機能構成を示すブロック図である。
【図２】この発明の実施例１〜７の画像形成装置に共通の構成を示す図である。
【図３】図２に示す画像形成装置におけるＬＥＤ点灯Ｄｕｔｙの調整処理を示すフローチャート図である。
【図４】実施例１の画像形成装置における原稿の両面読取処理を示すフローチャート図である。
【図５】図４に示す処理において等倍読取を行う場合にＣＩＳと入力画像処理部との間でやり取りされる信号の一例を示すタイミングチャート図である。
【００１５】
【図６】図４に示す処理において１／２の変倍率で変倍読取を行う場合にＣＩＳと入力画像処理部との間でやり取りされる信号の一例を示すタイミングチャート図である。
【図７】実施例２の画像形成装置における原稿の両面読取処理を示すフローチャート図である。
【図８】実施例３の画像形成装置における原稿の両面読取処理を示すフローチャート図である。
【図９】実施例４の画像形成装置における原稿の読取処理を示すフローチャート図である。
【図１０】図２に示す画像形成装置における電子シャッタＤｕｔｙの調整処理を示すフローチャート図である。
【００１６】
【図１１】実施例６の画像形成装置１００における原稿の両面読取処理を示すフローチャート図である。
【図１２】図１１に示す処理において等倍読取を行う場合にＣＩＳと入力画像処理部との間でやり取りされる信号の一例を示すタイミングチャート図である。
【図１３】図１１に示す処理において１／２の変倍率で変倍読取を行う場合にＣＩＳと入力画像処理部との間でやり取りされる信号の一例を示すタイミングチャート図である。
【発明を実施するための形態】
【００１７】
以下、この発明を実施するための形態を図面に基づいて具体的に説明する。
なお、この画像形成装置として、スキャナ機能に加え、印刷機能、コピー機能、及びファクシミリ機能の少なくともいずれかの機能を有する複合機（ＭＦＰ：Ｍｕｌｔｉｆｕｎｃｔｉｏｎ  Ｐｅｒｉｐｈｅｒａｌ）を例にとり説明するが、これに限定されるものではない。例えば、複写機やスキャナ装置などであってもよい。
図２は、この発明の実施例１〜７の画像形成装置に共通の構成を示す図である。
この画像形成装置１００は、複写機（コピー機）、ファクシミリ装置、スキャナ機能を備えたプリンタ、スキャナ機能に加え、印刷機能、コピー機能、及びファクシミリ機能の少なくともいずれかの機能を有する複合機（ＭＦＰ：Ｍｕｌｔｉｆｕｎｃｔｉｏｎ  Ｐｅｒｉｐｈｅｒａｌ）を含む装置である。
【００１８】
この画像形成装置１００は、自動原稿搬送装置（Ａｕｔｏ  Ｄｏｃｕｍｅｎｔ  Ｆｅｅｄｅｒ：「ＡＤＦ」と略称する）１０１と、画像読取装置１０２と、本体装置１０３を備えている。
ＡＤＦ１０１は、下部に画像読取装置１０２を備えており、その画像読取装置１０２へ原稿を搬送し、画像読取装置１０２によって原稿の両面の画像を読み取らせるために、原稿を反転させる機能を備えている。このような原稿の両面の画像を読み取れる装置を、自動両面原稿搬送装置（「ＡＲＤＦ」と略称する）とも呼ぶ。
画像読取装置１０２は、ＡＤＦ１０１から搬送された原稿、又は原稿台ガラスに載置された原稿の画像を読み取るスキャナ装置であって、画像の読み取り時に原稿に光を照射する光源を２種類備えており、原稿の画像を読み取る際に２種類の光源の発光を制御する機能を備えている。この画像読取装置１０２は第１画像読取手段に相当する。
【００１９】
ＡＤＦ１０１は、原稿の裏面を読み取る密着等倍イメージセンサ（「ＣＩＳ」と略称する）３を備えている。このＣＩＳ３は第２画像読取手段に相当する。
画像読取装置１０２は、ＡＤＦ１０１により搬送される原稿が上部を通過するスリットガラス３０と、画像の読み取り対象である原稿を載置するコンタクトガラス３１と、シェーディング補正データ生成用の基準白板３２と、画像の読み取り対象である原稿に光を照射する光源であるランプ３３及び第１ミラー３４を搭載した第１キャリッジ３５と、第２ミラー３６及び第３ミラー３７を搭載した第２キャリッジ３８と、ＣＣＤイメージセンサ２上に原稿からの反射光を縮小結像させるレンズユニット３９と、ＣＣＤイメージセンサ２を搭載し、ＣＣＤイメージセンサ２から出力される画像信号に所定の処理を施して外部に出力する画像処理部（「信号処理基板」とも呼ぶ）１と、コントローラ２とを備えている。
【００２０】
上記ランプ３３は、光源であればどのような種類のものでも良く、例えば、ＬＥＤ（Ｌｉｇｈｔ  Ｅｍｉｔｔｉｎｇ  Ｄｉｏｄｅ）を用いると良い。
また、画像読取装置１０２は、図示を省略するが、第１キャリッジ３５及び第２キャリッジ３８を駆動する駆動モータと、第１キャリッジ３５及び第２キャリッジ３８のホームポジションを検出するホームポジションセンサと、原稿を検知する原稿検知センサなどの各部も備えている。
画像読取装置１０２では、「載置読取方式」又は「シートスルー読取方式」で原稿の表面の画像を読み取ることができる。
載置読取方式は、ランプ３３を点灯し、駆動モータにより第１キャリッジ３５及び第２キャリッジ３８を原稿に対する副走査方向に移動走査して、コンタクトガラス３１上に載置された原稿の表面の画像を読み取る読取方式である。
【００２１】
この載置読取方式の場合、画像読取装置１０２は、原稿の画像の読み取りに先立って基準白板３２を読み取ってそのデータを取得し、シェーディング補正データを生成する。
そして、画像読取装置１０２は、原稿の読み取り領域のスキャン（読取動作）と平行してシェーディング補正処理を実行する。
一方、シートスルー読取方式は、ランプ３３を点灯し、第１キャリッジ３５及び第２キャリッジ３８を停止した状態のまま、ＡＤＦ１０１により搬送される原稿がスリットガラス３０の上部を通過する際に原稿の表面の画像を読み取る読取方式である。
このシートスルー読取方式の場合、画像読取装置１０２は、原稿の画像の読み取りに先立って駆動モータにより第１キャリッジ３５及び第２キャリッジ３８を基準白板３２の下に移動させて、基準白板３２を読み取ってそのデータを取得し、そのデータからシェーディング補正データを生成する。
【００２２】
そして、画像読取装置１０２は、駆動モータにより第１キャリッジ３５及び第２キャリッジ３８をシートスルー読み取り位置に復帰させてから、ＡＤＦ１０１により搬送される原稿の原稿読み取り領域のスキャン（読取動作）と平行してシェーディング補正処理を実行する。
なお、シートスルー読取方式の場合、ＣＩＳ３を使用して原稿の裏面の画像を読み取ることもできる。
つまり、シートスルー読取方式では、原稿の表面の画像のみを読み取ることも可能であるし、原稿の両面の画像を同時に読み取ることも可能である。
ＡＤＦ１０１は、原稿を載置する原稿トレイ４０と、ＣＩＳ３に対向する位置に設けられた基準白色ローラ４１と、画像読取後の原稿を排出する排紙トレイ４２と、原稿搬送機構４３とを備えている。この原稿搬送機構４３は搬送手段に相当する。
【００２３】
また、ＡＤＦ１０１は、図示を省略するが、原稿搬送機構４３を駆動する駆動モータなども備えている。
画像読取装置１０２によりシートスルー読取方式で原稿の画像の読み取りを行う場合、原稿搬送機構４３は、原稿トレイ４０に載置されている原稿を、スリットガラス３０の上部及びＣＩＳ３及び基準白色ローラ４１の対向位置を経て、排紙トレイ４２へ搬送する。
ＣＩＳ３は、光源４４としてＬＥＤを備えている。この光源４４としては、ＬＥＤ以外の種類の光源を用いてもよい。また、図示を省略するが、レンズアレイやセンサ素子などの各部も備えている。
シートスルー読取方式で原稿の両面の画像を同時に読み取る場合、ＣＩＳ３は、光源４４を点灯して、ＡＤＦ１０１により搬送され、ＣＩＳ３の下部を通過する原稿の裏面を照射し、原稿からの反射光をレンズアレイでセンサ素子に集光して画像データに変換する。こうして、ＣＩＳ３は、ＡＤＦ１０１により搬送される原稿の裏面の画像を読み取る。
【００２４】
なお、ＣＩＳ３は、原稿の画像の読み取りに先立って、基準白色ローラ４１を読み取り、そのデータを取得し、そのデータに基づいてシェーディング補正データを生成する。
そして、ＣＩＳ３は、原稿読み取り領域のスキャン（読取動作）と平行してシェーディング補正処理を実行する。
なお、この実施形態では、画像読取装置１０２が原稿の表面の画像を読み取り、ＣＩＳ３が原稿の裏面の画像を読み取る例について説明するが、画像読取装置１０２が原稿の裏面の画像を読み取り、ＣＩＳ３が原稿の表面の画像を読み取るようにしてよい。
また、画像読取装置１０２は、上述した構成の全てを必須の構成とする必要はなく、その一部を省略した構成としてもよい。
【００２５】
次に、この画像形成装置１００の本体装置１０３は、画像読取装置１０２によって読み取ったカラー画像データ又はモノクロ画像データを用紙に印刷する。
また、この画像形成装置１００が複合機の場合は、通信機能を介して外部からファクシミリ受信した画像データ、インターネットを介して受信した画像データを印刷することもできる。
さらに、この画像形成装置１００が複合機の場合は、画像読取装置１０２によって読み取った画像データをファクシミリ送信、インターネットを介した通信によって外部のファクシミリ装置や情報処理装置へ送ることもできる。
この本体装置１０３は、画像読取装置１０２によって読み取った画像データに基づいて印刷を制御する制御部であるコントローラ４を備えている。
【００２６】
また、そのコントローラ４からの上記画像データに基づく指示により、４個の感光体（ドラム状の感光体の場合「感光体ドラム」とも呼ぶ）５１ｙ〜５１ｋのそれぞれの表面上に静電潜像を形成する複数のミラーやレンズを含む露光部を備えた露光装置１０４を備えている。各感光体５１ｙ〜５１ｋは、それぞれ表面にイエロー（Ｙ）、マゼンタ（Ｍ）、シアン（Ｃ）、ブラック（Ｋ）の各トナー画像が書き込まれる像担持体である。
各感光体５１ｙ〜５１ｋの周りには、各感光体５１ｙ〜５１ｋのそれぞれの表面を帯電処理する各帯電装置５２ｙ〜５２ｋと、各感光体５１ｙ〜５１ｋのそれぞれの表面に形成された静電潜像をそれぞれの色のトナーで可視像化する各現像装置５３ｙ〜５３ｋと、各感光体５１ｙ〜５１ｋ上にそれぞれ形成されたトナー像（可視像）を中間転写ベルト５０上に重ねるように転写した後に、各感光体５１ｙ〜５１ｋに残ったトナーを回収する各クリーニング装置５４ｙ〜５４ｋを設けている。
【００２７】
中間転写ベルト５０は、各感光体５１ｙ〜５１ｋのいずれか１つに書き込まれた単色のトナー画像が転写、又は各感光体５１ｙ〜５１ｋにそれぞれ書き込まれた各色のトナー画像が重ねて転写される転写体である。この中間転写ベルト５０は転写手段に相当する。
この画像形成装置１００は、カラー印刷の場合、中間転写ベルト５０に、各感光体５１ｙ〜５１ｋに書き込まれた各トナー画像を重ねるように転写し、カラーのトナー画像を形成する。また、モノクロ印刷の場合、中間転写ベルト５０に、感光体５６ｋに書き込まれたブラックのトナー画像を転写し、モノクロのトナー画像を形成する。
一方、給紙トレイ部５６から搬送手段５７によって搬送された用紙（転写紙）Ｐは、レジストローラ部５８において一旦停止し、中間転写ベルト５０の回転と同期をとって再給紙され、転写ローラ部５９によって中間転写ベルト５０上のトナー像を用紙Ｐに転写する。トナー像が転写された用紙Ｐは定着装置６０によって定着処理され、最後に排紙手段６１によって排紙収納部６２に排出される。
【００２８】
図１は、図２に示した画像処理部１とコントローラ４との機能構成を示すブロック図である。
画像読取装置１０２の画像処理部１は、ＣＰＵ（Ｃｅｎｔｒａｌ  Ｐｒｏｃｅｓｓｉｎｇ  Ｕｎｉｔ）１０と、ＣＰＵメモリ１１と、データ変換部１２と１３と、メモリ１４と、メモリ制御部１５と、入力画像処理部１６と、Ｓ／Ｎ検出部１７と、それらの各部を接続するバスとを備えている。上記Ｓ／Ｎ検出部１７がＳ／Ｎ検出手段に、上記入力画像処理部１６が変倍手段にそれぞれ相当する。
ＣＣＤイメージセンサ２は、原稿の表面に照射した光の反射光を画像データ（画像信号）に変換し、その原稿の表面の画像データに、アナログデジタル（Ａ／Ｄ）変換処理、信号増幅処理、及びシェーディング処理などの所定の処理を施して、データ変換部１２へ出力する。
【００２９】
一方、ＣＩＳ３は、原稿の裏面に照射した光の反射光を画像データ（画像信号）に変換し、その原稿の裏面の画像データに、Ａ／Ｄ変換処理、信号増幅処理、及びシェーディング処理などの所定の処理を施して、データ変換部１３へ出力する。
データ変換部１２は、ＣＣＤイメージセンサ２から入力した画像データのフォーマットを入力画像処理部１６に適合するフォーマットに変換し、メモリ制御部１５へ出力する。
データ変換部１３は、ＣＩＳ３から入力した画像データのフォーマットを入力画像処理部１６に適合するフォーマットに変換し、メモリ制御部１５へ出力する。
メモリ制御部１５は、データ変換部１２及びデータ変換部１３から入力した画像データを一旦メモリ１４に書き込み、その書き込んだ各画像データをメモリ１４から読み出して入力画像処理部１６とＳ／Ｎ検出部１７へ転送する。
【００３０】
入力画像処理部１６は、メモリ制御部１５から転送された各画像データに対し、例えば、γ補正やＭＴＦ（Ｍｏｄｕｌａｔｉｏｎ  Ｔｒａｎｓｆｅｒ  Ｆｕｎｃｔｉｏｎ）補正などの入力特性に起因する画像処理、及び変倍処理などを行い、コントローラ４へ転送する。また、入力画像処理部１６は、コントローラ４から転送された画像データを出力画像処理部５へ出力する。
Ｓ／Ｎ検出部１７は、原稿の表面の画像データと原稿の裏面の画像データとのＳ／Ｎ特性（ノイズ）を検出する。
このＳ／Ｎ検出部１７は、図１に示すのは一例であり、ＣＣＤイメージセンサ２とＣＩＳ３から画像処理部１にいたるデータパスのどこに位置していても構わない。
【００３１】
ここで、画像読取装置１０２は、分解能が可変であるものとする。
このため、ＣＰＵ１０が、図示を省略した駆動モータを制御して、変倍率に応じた搬送速度で原稿搬送機構４３に原稿を搬送させ、画像読取装置１０２が、変倍率に応じた分解能に変更して原稿の表面を走査して画像データを読み取ることにより、機械的に変倍を行うことができる。
例えば、５０％の変倍指定がなされた場合、ＣＰＵ１０が、等倍読取の場合の２倍の搬送速度で原稿搬送機構４３に原稿を搬送させ、画像読取装置１０２は、分解能を等倍読取の場合の１／２にして原稿の表面を走査して画像データを読み取ることにより、機械的に５０％の変倍を行うことができる。
また、ＣＩＳ３は、上述したような画像処理を行う前にライン間補正を行っており、ライン間補正用のメモリを低減してコストを削減するため、原稿の副走査方向へは固定の分解能（走査速度）で読み取る仕様になっているものとする。
【００３２】
従って、シートスルー読取方式で原稿の両面を読み取る場合、ＣＩＳ３は、常に固定の分解能（等倍）で原稿の裏面の画像データを読み取る。
この読み取り方であっても、電気的に変倍（縮小）することはできるものの、機械的な変倍を行う場合に比べ、原稿の読み取り速度が低下し、生産性が低下してしまう。
そこで、実施例１では、ＣＰＵ１０が、図示を省略した駆動モータを制御して、変倍率に応じた搬送速度で原稿搬送機構４３に原稿を搬送させ、ＣＩＳ３が、変倍率に応じた読取ライン周期に変更して原稿の裏面を走査して画像データを読み取り、入力画像処理部１６が、読み取られた画像データを電気的に変倍する。
例えば、５０％の変倍指定がなされた場合、ＣＰＵ１０が、等倍読取の場合の２倍の搬送速度で原稿搬送機構４３に原稿を搬送させ、ＣＩＳ３は、読取ライン周期を等倍読取の場合の１／２にして原稿の裏面を走査して画像データを読み取り、入力画像処理部１６が、読み取られた画像データを電気的に５０％に変倍する。
【００３３】
このようにして、分解能が固定され電気的な変倍を行う場合であっても、原稿の読み取り速度の低下、及び生産性の低下を防止でき、機械的な変倍を行う場合と同様の生産性を保つことができる。
但し、変倍率（縮小率）に応じて読取ライン周期を短くするだけでは、ＣＩＳ３の光源４４から照射される光の光蓄積時間も短くなってしまい、例えば、Ｓ／Ｎ特性の低下などの読取特性の変化を招き、画像品質の劣化（変化）が生じてしまう。
そこで、実施例１では、ＣＩＳ３の光源４４の点灯を制御して、光蓄積時間を読取ライン周期の下限値以下の一定値に制御する。
このようにして、読取ライン周期を変倍率に応じて変更しても光蓄積時間を一定に保つことができ、読取特性の変化、及び画像品質の劣化を防止することができる。
【００３４】
本体装置１０３の出力画像処理部５は、入力画像処理部１６から入力した画像データに、例えば、フィルタ処理や色空間変換処理などの出力特性に合わせた画像処理を行い、ＬＤドライバ６へ出力する。
本体装置１０３のＬＤドライバ６は、出力画像処理部５から入力した画像データに応じて露光装置１０４の図示を省略した光源であるＬＤの発光を駆動し、レーザ光を各感光体５１ｙ〜５１ｋに照射させる。
各感光体５１ｙ〜５１ｋには静電潜像が形成され、転写、定着を経て用紙に画像が転写され、プリント用紙が出力される。
ＣＰＵ１０は、ＣＰＵメモリ１１をワーク領域に用いて、画像処理部１の他の各部と、画像読取装置１０２とＡＤＦ１０１の全体と、ＡＤＦ１０１のＣＩＳ３の制御を司る。
【００３５】
また、ＣＰＵ１０は、コントローラ４のＣＰＵ２０と通信して各種のデータを送受信する制御も行う。
なお、入力画像処理部１５がハードウェア的に行う変倍処理を、ＣＰＵ１０が、ソフトウェア的に行うようにしてもよい。
本体装置１０３のコントローラ４は、ＣＰＵ２０と、ＣＰＵ２０に接続されている画像コントローラ２１と、ＣＰＵ２０に接続されている入出力（Ｉ／Ｏ）コントローラ２２とを備えている。
画像コントローラ２１は、入力画像処理部１６から転送された画像データを、図示を省略したハードディスク装置（Ｈａｒｄ  Ｄｉｓｋ  Ｄｒｉｖｅ：ＨＤＤ）などの記憶装置に記憶する。また、上記記憶装置に記憶されている画像データを読み出し、画像処理部１へ転送する。
【００３６】
Ｉ／Ｏコントローラ２２は、画像形成装置１００の操作表示部７（図２では図示を省略）を接続しており、操作表示部７から入力される操作情報をＣＰＵ２０へ出力し、ＣＰＵ２０から出力された表示情報を操作表示部７へ出力する。
操作表示部７は、原稿の読取開始の入力指示、読取モードの入力を含む各種の操作情報を入力すると共に、各種の表示情報を表示する。この操作表示部７は、モード入力手段に相当する。
ＣＰＵ２０は、コントローラ４の各部を制御し、画像処理部１のＣＰＵ１０と通信して、操作表示部７からＩ／Ｏコントローラ２２を介して入力された操作情報をＣＰＵ１０へ送信し、ＣＰＵ１０からの情報を受信する。
【００３７】
〔実施例１〕
次に、実施例１の画像形成装置１００について説明する。
実施例１の画像形成装置１００では、ＣＩＳ３の光源４４がＬＥＤであり、そのＬＥＤの点灯を制御して光蓄積時間を制御する。
まず、実施例１の画像形成装置１００において通常の使用前に行うＣＩＳ３のＬＥＤ点灯Ｄｕｔｙの調整処理について説明する。
図３は、画像形成装置１００におけるＬＥＤ点灯Ｄｕｔｙの調整処理を示すフローチャート図である。
図３に示す処理は、光源４４がＬＥＤの場合であり、ＡＤＦ１０１の原稿トレイ４０に調整用の基準原稿が載置され、操作表示部７から入力された操作情報に基づいて、入力画像処理部１６によってＣＰＵ１０に光源４４のＬＥＤ点灯Ｄｕｔｙ調整モードが設定されている状態で、操作表示部７から調整開始が入力されると実行する。
【００３８】
また、動作仕様として、機械的な変倍率の範囲が５０〜１００％（分解能：３００〜６００ｄｐｉに相当）であり、画像読取装置１０２が等倍読取を行う場合、読取線速が３００ｍｍ／ｓｅｃ、表面読取ライン周期が１４１μｓｅｃ、表面読取分解能が６００ｄｐｉ、裏面読取ライン周期が１４１μｓｅｃ、裏面読取分解能が６００ｄｐｉである場合の例を説明するが、その例に限定されるものではない。
さらに、裏面読取のＣＩＳ３は等倍センサであり、表面の縮小光学系よりもＳ／Ｎ特性が高く、裏面の光蓄積時間は下限値設定以下で表面と同等のＳ／Ｎ特性を得ることが出来るものとする。
ＣＰＵ１０は、ステップ（図中「Ｓ」で示す）１で、ＣＰＵ２０を介して操作表示部７から入力された調整開始の指示を受け付けると、光源４４のＬＥＤ点灯Ｄｕｔｙ（裏面ランプ点灯基本Ｄｕｔｙ）を裏面読取ライン周期（原稿の裏面の読取ライン周期）の下限値（調整基準値）：７０μｓｅｃに設定し、ステップ２へ進む。
【００３９】
ステップ２で、表面と裏面の読取線速を３００ｍｍ／ｓｅｃに設定し、ステップ３へ進む。
ステップ３で、表面と裏面の読取ライン周期を１４１μｓｅｃにそれぞれ設定し、ステップ４へ進む。ステップ４で、シェーディング補正をオフに設定し、ステップ５へ進む。
ステップ５で、ランプ３３と光源４４とを点灯し、ステップ６へ進む。
ステップ６で、ＡＤＦ１０１の原稿トレイ４０にセットされた基準原稿を搬送し、その基準原稿の表面及び裏面の画像の読み取りを開始し、表面の画像データと裏面の画像データを取得し、ステップ７へ進む。
ステップ７で、Ｓ／Ｎ検出部１７によって、表面の画像データと裏面の画像データとからそれぞれＳ／Ｎ特性（信号レベルとノイズ成分（標準偏差、ピーク／ボトム）との比）を検出し、ステップ８へ進む。
【００４０】
基準原稿の濃度は、原稿読取装置１０２の読取可能な濃度範囲の上限に設定してあるものとする。
ステップ８で、基準原稿の表面及び裏面の画像の読み取りを終了し、ステップ９へ進む。ステップ９で、ランプ３３と光源４４とを消灯し、ステップ１０へ進む。
ステップ１０で、基準原稿の表面の画像について検出したＳ／Ｎ特性と、基準原稿の裏面の画像について検出したＳ／Ｎ特性とが等しくなるようなＬＥＤ点灯Ｄｕｔｙ：Ｔａｄｉを算出し、ステップ１１へ進む。
このステップ１０の処理については、簡易的には、センサの出力レベルが一定の値（表面のセンサ出力レベルから換算した裏面のセンサ出力目標値）になるように、ＬＥＤ点灯Ｄｕｔｙを算出し、その算出した値をメモリに記憶するようにしてもよい。
【００４１】
その場合、ＬＥＤ点灯Ｄｕｔｙが７０μｓｅｃのとき、センサ出力レベルがＶｉｎｉであれば、目標出力レベルをＶｔｇｔとすると、ＬＥＤ点灯Ｄｕｔｙは、７０×Ｖｔｇｔ／Ｖｉｎｉμｓｅｃと算出される。
ステップ１１で、表面と裏面の画像のＳ／Ｎ特性が等しくなるＬＥＤ点灯Ｄｕｔｙ：Ｔａｄｉをメモリに保存し、ステップ１２へ進む。
ステップ１２で、シェーディング補正をオンに設定し、この調整処理を終了する。
なお、上述の調整処理では、基準原稿を読み取って行う場合を示したが、基準原稿の代わりに、シェーディング補正を行うための基準白色板を用いれば、調整の為の基準原稿を用意する必要がなく、ユーザの使用環境においても電源オン時のイニシャライズ動作時に調整を行うことが可能になる。
【００４２】
次に、実施例１の画像形成装置１００における通常使用の原稿の両面を読み取る処理について説明する。
図４は、実施例１の画像形成装置１００における原稿の両面読取処理を示すフローチャート図である。
この原稿の両面読取処理は、ＡＤＦ１０１の原稿トレイ１４０に原稿が載置され、操作表示部７からの入力に基づいて入力画像処理部１６により両面読取モードが設定されている状態で、操作表示部７から原稿の読取開始入力で開始される。
また、機械的な変倍の変倍率の範囲が５０〜１００％（分解能：３００〜６００ｄｐｉに相当）であり、画像読取装置１０２が等倍読取を行う場合、原稿の読取線速が３００ｍｍ／ｓｅｃ、原稿の表面の読取ライン周期が１４１μｓｅｃ、原稿の表面の読取分解能が６００ｄｐｉ、原稿の裏面の読取ライン周期が１４１μｓｅｃ、原稿の裏面の読取分解能が６００ｄｐｉである場合を例に取り説明するが、これに限定されるものではない。
【００４３】
まず、ＣＰＵ１０は、操作表示部７からＣＰＵ２０を介して原稿の読取開始入力を受け付けると、ステップ（図中「Ｓ」で示す）２１で、メモリに保存されたＬＥＤ点灯Ｄｕｔｙ：Ｔａｄｉ（μｓｅｃ）（裏面読取ライン周期の下限値以下の値に相当する）を、ＣＩＳ３の光源（この場合、ＬＥＤ）のＬＥＤ点灯Ｄｕｔｙに設定し、ステップ２２へ進む。
例えば、裏面読取ライン周期（原稿の裏面の読取ライン周期）の下限値が７０．５（＝１４１×（１／２））μｓｅｃの場合、ＣＰＵ１０は、ＣＩＳ３の光源４４であるＬＥＤのＬＥＤ点灯Ｄｕｔｙを７０μｓｅｃ以下で調整されたＴａｄｉ（μｓｅｃ）に設定する。
ステップ２２で、ＣＰＵ１０は、表面読取ライン周期（原稿の表面の読取ライン周期、「第１読取周期」に相当する）を１４１μｓｅｃに設定し、ステップ２３へ進む。
ステップ２３で、ＣＰＵ１０は、原稿の読取開始入力前に操作表示部７から変倍率を入力する変倍入力が行われているか否かを判断し、変倍入力が行われていれば（Ｙの場合）ステップ２４へ進み、変倍入力が行われていなければ（Ｎの場合）ステップ３１へ進む。
【００４４】
ステップ２４で、ＣＰＵ１０は、操作表示部７から入力されてＣＰＵ２０を介して受け付けた変倍率に応じて読取線速（搬送速度に相当する）：３００／変倍率ｍｍ／ｓｅｃを設定する。
すなわち、ＣＰＵ１０は、等倍読取を行う場合の読取線速である３００ｍｍ／ｓｅｃを変倍率で除した速度である読取線速：３００／変倍率ｍｍ／ｓｅｃを設定する。
例えば、変倍率が１／２（５０％）である場合、ＣＰＵ１０は、読取線速を６００（＝３００／（１／２））ｍｍ／ｓｅｃに設定する。
ここで、この処理例では、変倍率の範囲が５０〜１００％であるから、読取線速を、３００〜６００ｍｍ／ｓｅｃの範囲で設定する。
そして、ステップ２５へ進む。
【００４５】
ステップ２５で、ＣＰＵ１０は、操作表示部７から入力されてＣＰＵ２０を介して受け付けた変倍率に応じて裏面読取ライン周期（原稿の裏面の読取ライン、第２読取周期に相当する）：１４１×変倍率μｓｅｃを設定する。
すなわち、ＣＰＵ１０は、等倍読取を行う場合の裏面読取ライン周期である１４１μｓｅｃを変倍率で乗じた裏面読取ライン周期：１４１×変倍率μｓｅｃを設定する。
例えば、変倍率が１／２（５０％）である場合、ＣＰＵ１０は、裏面読取ライン周期を７０．５（＝１４１×（１／２））μｓｅｃに設定する。
ここで、この処理例では、変倍率の範囲が５０〜１００％であるから、裏面読取ライン周期を、７０．５〜１４１μｓｅｃの範囲で設定し、裏面読取ライン周期の下限値は、７０．５μｓｅｃとなる。
そして、ステップ２６へ進む。
【００４６】
ステップ２６で、ＣＰＵ１０は、操作表示部８から入力されてＣＰＵ２０を介して受け付けた変倍率に応じて表面読取分解能（原稿の表面の読み取り分解能、第１分解能に相当する）：６００×変倍率ｄｐｉを設定する。
すなわち、ＣＰＵ１０は、等倍読取を行う場合の表面読取分解能である６００ｄｐｉを変倍率で乗じた分解能を表面読取分解能：６００×変倍率ｄｐｉを設定する。
例えば、変倍率が１／２（５０％）である場合、ＣＰＵ１０は、表面読取分解能を３００（＝６００×（１／２））ｄｐｉに設定する。
ここで、この処理例では、変倍率の範囲が５０〜１００％であるから、表面読取分解能を３００〜６００ｄｐｉの範囲で設定する。
また、裏面読取分解能（第２分解能に相当する）は６００ｄｐｉに固定している。
そして、ステップ２７へ進む。
【００４７】
一方、ステップ２３の判断で、読取開始入力前に操作表示部７から変倍入力が行われていない場合（Ｎの場合）、ステップ３１で、ＣＰＵ１０は、等倍読取を行う場合の読取線速である３００ｍｍ／ｓｅｃを読取線速に設定し、ステップ３２へ進む。
ステップ３２で、ＣＰＵ１０は、等倍読取を行う場合の裏面読取ライン周期である１４１μｓｅｃを裏面読取ライン周期に設定し、ステップ３３へ進む。
ステップ３３で、ＣＰＵ１０は、等倍読取を行う場合の表面読取分解能である６００ｄｐｉを表面読取分解能に設定する。
また、裏面読取分解能は６００ｄｐｉに固定している。
そして、ステップ２７へ進む。
上述の各処理で各種パラメータの設定が終了し、ＣＰＵ１０が駆動モータの制御を開始すると、ステップ２７で、原稿搬送機構４３は、ＣＰＵ１０によって設定された読取線速で原稿の搬送を開始し、ステップ２８へ進む。
【００４８】
ステップ２８で、ＣＰＵ１０は原稿の読み取りを開始して、画像読取装置１０２のＣＣＤイメージセンサ２により、ＣＰＵ１０によって設定された表面読取ライン周期及び表面読取分解能を含む各種パラメータに従って、原稿搬送機構４３によって搬送された原稿の表面の画像データを読み取り、ＣＩＳ３により、ＣＰＵ１０によって設定されたＬＥＤ点灯Ｄｕｔｙ及び裏面読取ライン周期を含む各種パラメータに従って、原稿搬送機構４３によって搬送された原稿の裏面の画像データを読み取り、ステップ２９へ進む。
【００４９】
図５は、図４に示す処理において等倍読取を行う場合にＣＩＳ３と入力画像処理部１６との間でやり取りされる信号の一例を示すタイミングチャート図である。
図５に示す例では、ＣＩＳ３は、図５の（ａ）に示した画素クロック信号ＶＣＬＫに基づいて、図５の（ｂ）に示すように、１ライン周期である裏面読取ライン周期：１４１μｓｅｃ毎にライン同期信号ＸＬＳＹＮＣの図中矢示Ａを生成して入力画像処理部１６に出力する。
また、図５の（ｃ）に示すように、ＣＩＳ３は、ライン同期信号ＸＬＳＹＮと同期して光源４４であるＬＥＤの点灯を示すランプ点灯信号ＬＥＤ＿ＯＮの生成を開始し、ＬＥＤ点灯Ｄｕｔｙで設定されたＴａｄｉ（μｓｅｃ）の間、入力画像処理部１６へ出力する。
【００５０】
さらに、図５の（ｄ）に示すように、ＣＩＳ３は、裏面読取ライン周期内で画像信号ＶｉＤＥＯ＿ＤＡＴＡを入力画像処理部１６に出力している。
つまり、図５に示す例では、ＣＩＳ３は、１４１μｓｅｃ毎に原稿の裏面の１ライン分の画像データの読み取りを開始すると共に、ＬＥＤ点灯Ｄｕｔｙ：Ｔａｄｉ（μｓｅｃ）の期間、光源４４のＬＥＤを点灯させる。
そして、ＣＩＳ３は、１４１μｓｅｃの期間内で、原稿の裏面の１ライン分の画像データを読み取って（図中の有効画像データ）入力画像処理部１６に出力する。
【００５１】
図６は、１／２の変倍率で変倍読取を行う場合にＣＩＳ３と入力画像処理部１６との間でやり取りされる信号の一例を示すタイミングチャート図である。
図６に示す例では、ＣＩＳ３は、図６の（ａ）に示した画素クロック信号ＶＣＬＫに基づいて、図６の（ｂ）に示すように、１ライン周期である裏面読取ライン周期：７０．５μｓｅｃ毎にライン同期信号ＸＬＳＹＮＣの図中矢示Ｂを生成して入力画像処理部１６に出力する。
また、図６の（ｃ）に示すように、ＣＩＳ３は、ライン同期信号ＸＬＳＹＮと同期して光源４４であるＬＥＤの点灯を示すランプ点灯信号ＬＥＤ＿ＯＮの生成を開始し、ＬＥＤ点灯Ｄｕｔｙで設定されたＴａｄｉ（μｓｅｃ）の間、入力画像処理部１６へ出力する。
【００５２】
さらに、図６の（ｄ）に示すように、ＣＩＳ３は、裏面読取ライン周期内で画像信号ＶｉＤＥＯ＿ＤＡＴＡを入力画像処理部１６に出力している。
そして、画素クロック周波数は、裏面読取ライン周期を変倍率に応じて変更した場合であっても有効画像データの転送が可能な周波数となっており、変倍率に応じた裏面読取ライン周期の変更を可能としている。
つまり、図６に示す例では、ＣＩＳ３は、７０．５μｓｅｃ毎に原稿の裏面の１ライン分の画像データの読み取りを開始すると共に、ＬＥＤ点灯Ｄｕｔｙ：Ｔａｄｊ（μｓｅｃ）の期間、光源４４のＬＥＤを点灯させる。
【００５３】
そして、ＣＩＳ３は、７０．５μｓｅｃの期間内で、原稿の裏面の１ライン分の画像データを読み取って（図中の有効画像データ）入力画像処理部１６に出力する。
なお、図７に示した例の場合、画像読取装置１０２によって読み取られた原稿の表面の１ライン分の画像データは、副走査方向に機械的に５０％（分解能：３００ｄｐｉ）への変倍が行われているが、ＣＩＳ３によって読み取られた原稿の裏面の１ライン分の画像データは、変倍が行われていない。
そこで、入力画像処理部１６は、副走査方向に電気的に５０％（分解能：３００ｄｐｉ）に変倍する。
【００５４】
次に、図４に戻り、ステップ２９で、画像読取装置１０２のＣＰＵ１０は、原稿の表面の全ライン分の画像データの読み取りと、原稿の裏面の全ライン分の画像データを読み取りを終了すると、原稿の読み取りを終了し、ステップ３０へ進む。
ステップ３０で、ＣＰＵ１０は、駆動モータの制御を終了して原稿搬送機構４３による原稿の搬送を終了し、この両面読取処理を終了する。
このようにして、実施例１の画像形成装置では、分解能が固定されている場合であっても、縮小率に応じて読取線速を速くすると共に、縮小率に応じて読取ライン周期を短くして、電気的に変倍を行うので、原稿の読み取り速度の低下、及び生産性の低下を防止でき、機械的な変倍を行う場合と同様の生産性を保つことができる。
【００５５】
また、光源４４のＬＥＤのＬＥＤ点灯Ｄｕｔｙを読取ライン周期の下限値以下に制御しているため、読取ライン周期を変倍率に応じて変更しても光蓄積時間を一定に保つことができ、読取特性の変化、及び画像品質の劣化を防止することができる。
さらに、表面と裏面のＳ／Ｎ特性を同等に調整しているため、画像品質の安定化を行うことができる。
なお、光源４４のＬＥＤのＬＥＤ点灯Ｄｕｔｙの可変可能範囲は、画像読取装置１０２の読取性能であるＳ／Ｎ特性を満足するのに必要な照度を有する照明系の設計がなされているものとする。
【００５６】
〔実施例２〕
次に、実施例２の画像形成装置１００について説明する。
上記実施例１の画像形成装置１００では、原稿の表面の読み取りは機械的に変倍し、原稿の裏面の読み取りを電気的に変倍する例について説明した。
実施例２の画像形成装置１００では、画像データの生産性を優先するか再利用性を優先するかに応じて、上述した態様で変倍を行う処理と、原稿の両面を電気的に変倍する処理のいずれかを選択することができる。
以下の説明では、実施例１と共通の部分についてはその説明を省略し、実施例１との相違点についてのみ詳しく説明する。
【００５７】
図７は、実施例２の画像形成装置における原稿の両面読取処理を示すフローチャート図である。
まず、ステップ（図中「Ｓ」で示す）４１と４２は、それぞれ図４のステップ２１と２２の処理と同じなので、その説明を省略する。
ステップ４３で、ＣＰＵ１０は、原稿の読取開始入力前に操作表示部７から変倍率を入力する変倍入力が行われているか否かを判断し、変倍入力が行われていれば（Ｙの場合）ステップ４４へ進み、変倍入力が行われていなければ（Ｎの場合）ステップ５２へ進む。
ステップ４４では、原稿の読取開始入力前に操作表示部７から画像データの生産性を優先する生産性モード（第１モード）の入力が行われているか否かを判断し、生産性モードの入力が行われている場合（Ｙの場合）、ステップ４５へ進み、生産性モードの入力が行われていない場合（画像データの再利用性を優先する再利用性モード（第２モード）の入力が行われている場合（Ｎの場合）、ステップ５２へ進む。
【００５８】
以下、生産性モードの入力が行われている場合のステップ４５〜５１の処理は、図４のステップ２４〜３０の処理とそれぞれ同じであり、再利用性モードの入力が行われている場合のステップ５２〜５４及びステップ４８〜５１の処理は、図４のステップ３１〜３３及びステップ２７〜３０とそれぞれ同じであるから、その説明を省略する。
上記処理によって読み取られた画像データについて、再利用性モードの入力が行われている場合では、入力画像処理部１６は、ＣＣＤイメージセンサ２によって読み取られた原稿の表面の画像データ、及びＣＩＳ３によって読み取られた原稿の裏面の画像データを画像コントローラ２１に転送してＨＤＤ等の記憶装置に記憶させる。
【００５９】
そして、入力画像処理部１６は、画像コントローラ２１から記憶装置に記憶された表面及び裏面の画像データの転送を受け、電気的な変倍を行う。
つまり、再利用性モードでは、変倍を行う場合であっても、原稿の表面と裏面ともに等倍読取が行われ、等倍で読み取られた画像データが保存された後に、入力画像処理部１６によって指定された変倍率への電気的な変倍が行われる。
このようにして、実施例２の画像形成装置１００では、再利用性モードでは、変倍を行う場合であっても、等倍で読み取られた画像データが保存されるため、保存された画像データを読み取り時に指定された変倍率とは異なる変倍率で変倍して、コピー画像として出力したり、ＦＡＸで送信したりすることが可能となり、画像データの再利用性を高めることができる。
【００６０】
〔実施例３〕
次に、実施例３の画像形成装置１００について説明する。
上記実施例１、２の画像形成装置１００では、原稿の表面を機械的に変倍し、原稿の裏面を電気的に変倍する例について説明した。
実施例３の画像形成装置１００では、スキャナアプリによる読み取りを行うスキャナアプリモード（第１モード、第１アプリモード）か、コピーアプリによる読み取りを行うコピーアプリモード（第２モード、第２アプリモード）かに応じて、上述した態様で変倍を行う処理と、原稿の両面を電気的に変倍する処理のいずれかを選択することができる。
以下の説明では、実施例１、２と共通の部分についてはその説明を省略し、実施例１、２との相違点についてのみ詳しく説明する。
【００６１】
図８は、実施例３の画像形成装置における原稿の両面読取処理を示すフローチャート図である。
まず、ステップ（図中「Ｓ」で示す）６１と６２は、それぞれ図４のステップ２１と２２（図７のステップ４１と４２）の処理と同じなので、その説明を省略する。
ステップ６３で、ＣＰＵ１０は、原稿の読取開始入力前に操作表示部７から変倍率を入力する変倍入力が行われているか否かを判断し、変倍入力が行われていれば（Ｙの場合）ステップ６４へ進み、変倍入力が行われていなければ（Ｎの場合）ステップ７２へ進む。
ステップ６４では、原稿の読取開始入力前に操作表示部７からスキャナアプリモードの入力が行われているか否かを判断し、スキャナアプリモードの入力が行われている場合（Ｙの場合）、ステップ６５へ進み、スキャナアプリモードの入力が行われていない場合（コピーアプリモードの入力が行われている場合、Ｎの場合）、ステップ７２へ進む。
【００６２】
以下、スキャナアプリモードの入力が行われている場合のステップ６５〜７１の処理は、図４のステップ２４〜３０（図７のステップ４５〜５１）の処理とそれぞれ同じであり、コピーアプリモードの入力が行われている場合のステップ７２〜７４及びステップ６８〜７１の処理は、図４のステップ３１〜３３及びステップ２７〜３０（図７のステップ５２〜５４及びステップ４８〜５１）とそれぞれ同じであるから、その説明を省略する。
上記処理によって読み取られた画像データについて、コピーアプリモードの入力が行われている場合では、入力画像処理部１６は、ＣＣＤイメージセンサ２によって読み取られた原稿の表面の画像データ、及びＣＩＳ３によって読み取られた原稿の裏面の画像データを画像コントローラ２１に転送してＨＤＤ等の記憶装置に記憶させる。
そして、入力画像処理部１６は、画像コントローラ２１から記憶装置に記憶された表面及び裏面の画像データの転送を受け、電気的な変倍を行って、出力画像処理部５に出力し、コピー画像として出力させる。
【００６３】
つまり、コピーアプリモードでは、変倍を行う場合であっても、原稿の表面と裏面ともに等倍読取が行われ、等倍で読み取られた画像データが保存された後に、入力画像処理部１６により指定された変倍率への電気的な変倍が行われ、コピー画像として出力される。
このようにして、実施例３の画像形成装置１００では、スキャナアプリモードでは、画像データの生産性を優先でき、コピーアプリモードでは、画像データの再利用性を優先することができる。
また、上述の処理では、スキャナアプリモードで画像データの生産性を優先し、コピーアプリモードで画像データの再利用性を優先する例について説明したが、各アプリモードと何を優先するかの関係はこれに限定されるものではない。
例えば、スキャナアプリモードで画像データの再利用性を優先し、コピーアプリモードで画像データの生産性を優先するようにしてもよいし、アプリモード毎に再利用性を優先するか生産性を優先するかを操作表示部７から入力するようにしてもよい。
【００６４】
〔実施例４〕
次に、実施例４の画像形成装置１００について説明する。
上記実施例１〜３の画像形成装置１００では、原稿の表面を機械的に変倍し、原稿の裏面を電気的に変倍する例について説明した。
実施例４の画像形成装置１００では、片面読取の場合には、原稿の表面を機械的に変倍し、両面読取の場合には、原稿の両面を電気的に変倍する処理、又は原稿の表面を機械的及び電気的に変倍すると共に原稿の裏面を電気的に変倍する処理のいずれかを選択することができる。
以下の説明では、実施例１〜３と共通の部分についてはその説明を省略し、実施例１〜３との相違点についてのみ詳しく説明する。
図９は、実施例４の画像形成装置における原稿の読取処理を示すフローチャート図である。
【００６５】
この原稿の読取処理は、ＡＤＦ１０１の原稿トレイ１４０に原稿が載置され、操作表示部７から変倍率が入力された後、原稿の読取開始入力で開始される。
また、機械的な変倍の範囲が分解能：４００〜６００ｄｐｉであり、分解能：３００〜４００ｄｐｉへの原稿の表面の変倍は、機械的な変倍及び電気的な変倍を併用して行うものとする。
まず、ＣＰＵ１０は、操作表示部７からＣＰＵ２０を介して原稿の読取開始入力を受け付けると、ステップ（図中「Ｓ」で示す）８１で、メモリに保存されたＬＥＤ点灯Ｄｕｔｙ：Ｔａｄｉ（μｓｅｃ）（裏面読取ライン周期の下限値以下の値に相当する）を、ＣＩＳ３の光源（この場合、ＬＥＤ）のＬＥＤ点灯Ｄｕｔｙに設定し、ステップ８２へ進む。
例えば、裏面読取ライン周期（原稿の裏面の読取ライン周期）の下限値が９４（＝１４１×（２／３））μｓｅｃの場合、ＣＰＵ１０は、ＣＩＳ３の光源４４であるＬＥＤのＬＥＤ点灯Ｄｕｔｙは９３μｓｅｃ以下で調整されたＴａｄｉに設定する。
【００６６】
ステップ８２で、ＣＰＵ１０は、表面読取ライン周期（原稿の表面の読取ライン周期、「第１読取周期」に相当する）を１４１μｓｅｃに設定し、ステップ８３へ進む。
ステップ８３で、ＣＰＵ１０は、原稿の読取開始入力前に操作表示部７から両面読取モードの入力が行われているか否かを判断し、両面読取モードの入力が行われていなければ（片面読取モードの入力が行われている場合（Ｎの場合）ステップ９２へ進み、両面読取モードの入力が行われていれば（Ｙの場合）ステップ８４へ進む。
ステップ９２で、ＣＰＵ１０は、操作表示部７から入力された変倍率をＣＰＵ２０を介して受け付け、その変倍率に応じて読取線速：３００／変倍率ｍｍ／ｓｅｃを設定する。
すなわち、ＣＰＵ１０は、等倍読取を行う場合の読取線速である３００ｍｍ／ｓｅｃを変倍率で除した速度である読取線速：３００／変倍率ｍｍ／ｓｅｃを設定する。
そして、ステップ９３へ進む。
【００６７】
ステップ９３で、ＣＰＵ１０は、操作表示部７から入力された変倍率をＣＰＵ２０を介して受け付け、その変倍率に応じて表面読取分解能：６００×変倍率ｄｐｉを設定する。
すなわち、ＣＰＵ１０は、等倍読取を行う場合の表面読取分解能である６００ｄｐｉを変倍率で乗じた分解能である表面読取分解能：６００×変倍率ｄｐｉを設定する。
そして、ステップ８８へ進む。
一方、ステップ８４では、ＣＰＵ１０は、受け付けた変倍率が示す変倍範囲が分解能：３００〜４００ｄｐｉの範囲内であるか否かを判断し、分解能：３００〜４００ｄｐｉの範囲内であれば（Ｙの場合）、ステップ８５へ進み、分解能：３００〜４００ｄｐｉの範囲内でなければ（Ｎの場合）、ステップ９４へ進む。
ステップ８５では、ＣＰＵ１０は、読取線速を４５０（＝３００／（２／３））ｍｍ／ｓｅｃに設定し、ステップ８６へ進む。
【００６８】
ステップ８６で、ＣＰＵ１０は、裏面読取ライン周期を９４（＝１４１×（２／３））μｓｅｃに設定する。
この処理例では、機械的な変倍の範囲が分解能：４００〜６００ｄｐｉであるから、裏面読取ライン周期は、９４〜１４１μｓｅｃの範囲となり、裏面読取ライン周期の下限値は９４μｓｅｃとなる。
そして、ステップ８７へ進む。
ステップ８７で、ＣＰＵ１０は、表面読取分解能を４００（＝６００×（２／３））ｄｐｉに設定する。
また、裏面読取分解能は６００ｄｐｉに固定する。
そして、ステップ８８へ進む。
【００６９】
また、読取開始入力前に両面読取モードの入力が行われ、変倍率が示す変倍範囲が分解能：３００〜４００ｄｐｉの範囲外である場合、ステップ９４で、ＣＰＵ１０は、等倍読取を行う場合の読取線速である３００ｍｍ／ｓｅｃを読取線速に設定し、ステップ９５へ進む。
ステップ９５で、ＣＰＵ１０は、等倍読取を行う場合の裏面読取ライン周期である１４１μｓｅｃを裏面読取ライン周期に設定し、ステップ９６に進む。
ステップ９６で、ＣＰＵ１０は、等倍読取を行う場合の表面読取分解能である６００ｄｐｉを表面読取分解能に設定する。
また、裏面読取分解能は６００ｄｐｉに固定する。
そして、ステップ８８へ進む。
【００７０】
上述の各処理で各種パラメータの設定が終了し、ＣＰＵ１０が駆動モータの制御を開始すると、ステップ８８で、原稿搬送機構４３は、ＣＰＵ１０によって設定された読取線速で原稿の搬送を開始し、ステップ８９へ進む。
ステップ８９で、ＣＰＵ１０は原稿の読み取りを開始して、片面読取モードの入力が行われている場合、画像読取装置１０２のＣＣＤイメージセンサ２により、ＣＰＵ１０によって設定された表面読取ライン周期及び表面読取分解能を含む各種パラメータに従って、原稿搬送機構４３によって搬送された原稿の表面の画像データを読み取る。
この場合、ＣＣＤイメージセンサ２により読み取られた原稿の表面の画像データは、副走査方向に指定された倍率への機械的な変倍が行われている。
【００７１】
また、両面読取モードの入力が行われ、変倍範囲が分解能：３００〜４００ｄｐｉの範囲内である場合、ＣＣＤイメージセンサ２により、ＣＰＵ１０によって設定された表面読取ライン周期及び表面読取分解能を含む各種パラメータに従って、原稿搬送機構４３によって搬送された原稿の表面の画像データを読み取る。
また、ＣＩＳ３は、ＣＰＵ１０によって設定されたＬＥＤ点灯Ｄｕｔｙ及び裏面読取ライン周期を含む各種パラメータに従って、原稿搬送機構４３によって搬送された原稿の裏面の画像データを読み取る。
この場合、ＣＣＤイメージセンサ２により読み取られた原稿の表面の画像データは、副走査方向に分解能：４００ｄｐｉへの機械的な変倍が行われ、ＣＩＳ３により読み取られた原稿の裏面の画像データは、変倍が行われていない。
【００７２】
このため、入力画像処理部１６は、分解能：４００ｄｐｉへの変倍が行われた画像データがＣＣＤイメージセンサ２から転送されると、指定された倍率となるように、更に副走査方向に電気的な変倍を行う。
同様にして、入力画像処理部１６は、ＣＩＳ３から原稿の裏面の画像データが転送されると、副走査方向に指定された倍率への電気的な変倍を行う。
また、両面読取モードの入力が行われ、変倍範囲が分解能：３００〜４００ｄｐｉの範囲外である場合、ＣＣＤイメージセンサ２は、ＣＰＵ１０によって設定された表面読取ライン周期及び表面読取分解能などに従って、原稿搬送機構４３によって搬送された原稿の表面の画像データを読み取る。
また、ＣＩＳ３は、ＣＰＵ１０によって設定されたＬＥＤ点灯Ｄｕｔｙ及び裏面読取ライン周期を含む各種パラメータに従って、原稿搬送機構４３によって搬送された原稿の裏面の画像データを読み取る。
【００７３】
この場合、ＣＣＤイメージセンサ２により読み取られた原稿の表面の画像データ、及びＣＩＳ３により読み取られた原稿の裏面の画像データは、変倍が行われていない。
このため、入力画像処理部１６は、ＣＣＤイメージセンサ２から原稿の表面の画像データが転送されると、副走査方向に指定された倍率への電気的な変倍を行い、同様に、入力画像処理部１６は、ＣＩＳ３から原稿の裏面の画像データが転送されると、副走査方向に指定された倍率への電気的な変倍を行う。
そして、ステップ９０へ進む。
ステップ９０で、画像読取装置１０２のＣＰＵ１０は、原稿の表面の全ライン分の画像データの読み取り、又は原稿の裏面の全ライン分の画像データを読み取りを終了すると、原稿の読み取りを終了し、ステップ９１へ進む。
【００７４】
ステップ９１で、ＣＰＵ１０は、駆動モータの制御を終了して原稿搬送機構４３による原稿の搬送を終了し、この読取処理を終了する。
このようにして、実施例４の画像形成装置１００では、片面読取モードでは機械的な変倍のみが行われるため、生産性を最大限発揮することができる。
また、両面読取モードでは、縮小率が大きい場合（分解能：３００〜４００ｄｐｉの場合）、機械的な変倍及び電気的な変倍を併用して変倍するようにしている。
例えば、分解能：３５０ｄｐｉへ変倍する場合、原稿の表面の画像データは、まず分解能：６００ｄｐｉから分解能：４００ｄｐｉへ機械的に変倍され、その後分解能：３５０ｄｐｉへ電気的に変倍される。
【００７５】
原稿の裏面の画像データは、分解能：６００ｄｐｉから分解能：３５０ｄｐｉへ電気的に変倍される。
したがって、原稿の表面の画像データの変倍を機械的な変倍のみで対応する場合と比べ、裏面読取ライン周期の下限値を長くすることができ、光源４４のＬＥＤ点灯Ｄｕｔｙも長くすることができる。
その結果、光源４４であるＬＥＤの照度も小さくすることができ、コストの上昇、及び発熱の増加などの副作用の発生を抑制することができる。
つまり、機械的な変倍及び電気的な変倍を併用することにより、生産性を保ちつつ、上述したような副作用の発生を抑制することができる。
【００７６】
〔実施例５〕
次に、実施例５の画像形成装置１００を説明する。
実施例５の画像形成装置１００では、上述した実施例１〜４の画像形成装置１００の機能を適宜組み合わせる。
例えば、実施例１と実施例３の画像形成装置１００の機能を組み合わせれば、片面読取又は両面読取を行う場合に生産性を優先するか、再利用性を優先するかを選択することができる。
【００７７】
〔実施例６〕
次に、実施例６の画像形成装置１００を説明する。
上記実施例１〜５の画像形成装置１００では、ＣＩＳ３の光源４４がＬＥＤの場合であり、そのＬＥＤの点灯を制御して光蓄積時間を制御する例について説明したが、実施例６の画像形成装置１００では、ＣＩＳ３の電子シャッタ機能を用いて光蓄積時間を制御する例について説明する。
以下の説明では、実施例１〜５と共通の部分についてはその説明を省略し、実施例１〜５との相違点についてのみ詳しく説明する。
実施例６の画像形成装置１００の構成は、実施例１〜５の画像形成装置１００とは、光源４４としてキセノンランプを備えている点が異なり、その他の部分は共通であり、上述と同様の名称と符号を付し、その説明を省略する。
【００７８】
また、実施例６の画像形成装置１００の画像処理部１とコントローラ４との機能構成も、同じであるが、上述の実施例１〜５とは、画像読み取り時のＣＩＳ３の電子シャッタを制御する点が異なる。
ＣＩＳ３は、光源４４としてキセノンランプを備えている。
このキセノンランプは、応答性の観点から１ライン周期の中で点灯と消灯を制御することが困難である。
そこで、実施例６の画像形成装置１００のＣＩＳ３では、光源４４のキセノンランプの点灯を制御するのではなく、ＣＩＳ３の電子シャッタ機能を使用して、光蓄積時間を読取ライン周期の下限値以下に制御する。
なお、以下に説明するＣＩＳ３の電子シャッタ機能を使用して、光源４４の光蓄積時間を読取ライン周期の下限値以下に制御する処理は、光源４４がＬＥＤの場合でも同様に実施できるので、上述した実施例１〜５の画像形成装置１００におけるＬＥＤの点灯制御に変えて行うことができる。
【００７９】
図１０は、実施例６の画像形成装置１００における電子シャッタの調整処理を示すフローチャート図である。
図１０に示す処理は、光源４４がキセノンランプの場合であり、ＡＤＦ１０１の原稿トレイ４０に調整用の基準原稿が載置され、操作表示部７から入力された操作情報に基づいて、入力画像処理部１６によってＣＰＵ１０に電子シャッタＤｕｔｙ調整モードが設定されている状態で、操作表示部７から調整開始が入力されると実行する。
【００８０】
また、動作仕様として、機械的な変倍の範囲が５０〜１００％（分解能：３００〜６００ｄｐｉに相当）であり、画像読取装置１０２が等倍読取を行う場合、読取線速が３００ｍｍ／ｓｅｃ、表面読取ライン周期が１４１μｓｅｃ、表面読取分解能が６００ｄｐｉ、裏面読取ライン周期が１４１μｓｅｃ、裏面読取分解能が６００ｄｐｉである場合の例を説明するが、その例に限定されるものではない。
さらに、裏面読取のＣＩＳ３は等倍センサであり、表面の縮小光学系よりもＳ／Ｎ特性が高く、裏面の光蓄積時間は下限値設定以下で表面と同等のＳ／Ｎ特性を得ることが出来るものとする。
ＣＰＵ１０は、ステップ（図中「Ｓ」で示す）１０１で、ＣＰＵ２０を介して操作表示部７から入力された調整開始の指示を受け付けると、ＣＩＳ３の電子シャッタＤｕｔｙ（裏面センサ電子シャッタ基本Ｄｕｔｙ）を裏面読取ライン周期（原稿の裏面の読取ライン周期）の下限値（調整基準値）：７０μｓｅｃに設定し、ステップ１０２へ進む。
【００８１】
ステップ１０２で、表面と裏面の読取線速を３００ｍｍ／ｓｅｃに設定し、ステップ１０３へ進む。
ステップ１０３で、表面と裏面の読取ライン周期を１４１μｓｅｃにそれぞれ設定し、ステップ１０４へ進む。ステップ１０４で、シェーディング補正をオフに設定し、ステップ１０５へ進む。
ステップ１０５で、ランプ３３と光源４４とを点灯し、ステップ１０６へ進む。
ステップ１０６で、ＡＤＦ１０１の原稿トレイ４０にセットされた基準原稿を搬送し、その基準原稿の表面及び裏面の画像の読み取りを開始し、表面の画像データと裏面の画像データを取得し、ステップ１０７へ進む。
ステップ１０７で、Ｓ／Ｎ検出部１７によって、表面の画像データと裏面の画像データとからそれぞれＳ／Ｎ特性（信号レベルとノイズ成分（標準偏差、ピーク／ボトム）との比）を検出し、ステップ１０８へ進む。
【００８２】
基準原稿の濃度は、原稿読取装置１０２の読取可能な濃度範囲の上限に設定してあるものとする。
ステップ１０８で、基準原稿の表面及び裏面の画像の読み取りを終了し、ステップ１０９へ進む。
ステップ１０９で、ランプ３３と光源４４とを消灯し、ステップ１１０へ進む。
ステップ１１０で、基準原稿の表面の画像について検出したＳ／Ｎ特性と、基準原稿の裏面の画像について検出したＳ／Ｎ特性とが等しくなるような電子シャッタＤｕｔｙ：Ｔａｄｊを算出し、ステップ１１１へ進む。
このステップ１１０の処理については、簡易的には、センサの出力レベルが一定の値（表面のセンサ出力レベルから換算した裏面のセンサ出力目標値）になるように、ＣＩＳ３の電子シャッタＤｕｔｙを算出し、その算出した値をメモリに記憶するようにしてもよい。
【００８３】
その場合、電子シャッタＤｕｔｙが７０μｓｅｃのとき、センサ出力レベルがＶｉｎｉであれば、目標出力レベルをＶｔｇｔとすると、電子シャッタＤｕｔｙは、７０×Ｖｔｇｔ／Ｖｉｎｉμｓｅｃと算出される。
ステップ１１１で、表面と裏面の画像のＳ／Ｎ特性が等しくなる電子シャッタＤｕｔｙ：Ｔａｄｊをメモリに保存し、ステップ１１２へ進む。
ステップ１１２で、シェーディング補正をオンに設定し、この調整処理を終了する。
なお、上述の調整処理では、基準原稿を読み取って行う場合を示したが、基準原稿の代わりに、シェーディング補正を行うための基準白色板を用いれば、調整の為の基準原稿を用意する必要がなく、ユーザの使用環境においても電源オン時のイニシャライズ動作時に調整を行うことが可能になる。
【００８４】
次に、実施例６の画像形成装置１００における通常使用の原稿の両面を読み取る処理について説明する。
図１１は、実施例６の画像形成装置１００における原稿の両面読取処理を示すフローチャート図である。
この原稿の両面読取処理は、ＡＤＦ１０１の原稿トレイ１４０に原稿が載置され、操作表示部７からの入力に基づいて入力画像処理部１６により両面読取モードが設定されている状態で、操作表示部７から原稿の読取開始入力で開始される。
また、機械的な変倍の変倍率の範囲が５０〜１００％（分解能：３００〜６００ｄｐｉに相当）であり、画像読取装置１０２が等倍読取を行う場合、原稿の読取線速が３００ｍｍ／ｓｅｃ、原稿の表面の読取ライン周期が１４１μｓｅｃ、原稿の表面の読取分解能が６００ｄｐｉ、原稿の裏面の読取ライン周期が１４１μｓｅｃ、原稿の裏面の読取分解能が６００ｄｐｉである場合を例に取り説明するが、これに限定されるものではない。
【００８５】
まず、ＣＰＵ１０は、操作表示部７からＣＰＵ２０を介して原稿の読取開始入力を受け付けると、ステップ（図中「Ｓ」で示す）１２１で、ＣＩＳ３の電子シャッタ機能の設定を、メモリに保存された電子シャッタＤｕｔｙ：Ｔａｄｊ（μｓｅｃ）（裏面読取ライン周期の下限値以下の値に相当する）に設定し、ステップ１２２へ進む。
例えば、裏面読取ライン周期（原稿の裏面の読取ライン周期）の下限値が７０．５（＝１４１×（１／２））μｓｅｃの場合、ＣＰＵ１０は、ＣＩＳ３の電子シャッタ機能の設定を７０μｓｅｃ以下に調整されたＴａｄｊ（μｓｅｃ）に設定する。
ステップ１２２で、ＣＰＵ１０は、表面読取ライン周期（原稿の表面の読取ライン周期、「第１読取周期」に相当する）を１４１μｓｅｃに設定し、ステップ１２３へ進む。
【００８６】
ステップ１２３で、ＣＰＵ１０は、原稿の読取開始入力前に操作表示部７から変倍率を入力する変倍入力が行われているか否かを判断し、変倍入力が行われていれば（Ｙの場合）ステップ１２４へ進み、変倍入力が行われていなければ（Ｎの場合）ステップ１３１へ進む。
ステップ１２４で、ＣＰＵ１０は、操作表示部７から入力されてＣＰＵ２０を介して受け付けた変倍率に応じて読取線速（搬送速度に相当する）：３００／変倍率ｍｍ／ｓｅｃを設定する。
すなわち、ＣＰＵ１０は、等倍読取を行う場合の読取線速である３００ｍｍ／ｓｅｃを変倍率で除した速度である読取線速：３００／変倍率ｍｍ／ｓｅｃを設定する。
【００８７】
例えば、変倍率が１／２（５０％）である場合、ＣＰＵ１０は、読取線速を６００（＝３００／（１／２））ｍｍ／ｓｅｃに設定する。
ここで、この処理例では、変倍率の範囲が５０〜１００％であるから、読取線速を、３００〜６００ｍｍ／ｓｅｃの範囲で設定する。
そして、ステップ１２５へ進む。
ステップ１２５で、ＣＰＵ１０は、操作表示部７から入力されてＣＰＵ２０を介して受け付けた変倍率に応じて裏面読取ライン周期（原稿の裏面の読取ライン、第２読取周期に相当する）：１４１×変倍率μｓｅｃを設定する。
すなわち、ＣＰＵ１０は、等倍読取を行う場合の裏面読取ライン周期である１４１μｓｅｃを変倍率で乗じた裏面読取ライン周期：１４１×変倍率μｓｅｃを設定する。
【００８８】
例えば、変倍率が１／２（５０％）である場合、ＣＰＵ１０は、裏面読取ライン周期を７０．５（＝１４１×（１／２））μｓｅｃに設定する。
ここで、この処理例では、変倍率の範囲が５０〜１００％であるから、裏面読取ライン周期を、７０．５〜１４１μｓｅｃの範囲で設定し、裏面読取ライン周期の下限値は、７０．５μｓｅｃとなる。
そして、ステップ１２６へ進む。
ステップ１２６で、ＣＰＵ１０は、操作表示部７から入力されてＣＰＵ２０を介して受け付けた変倍率に応じて表面読取分解能（原稿の表面の読み取り分解能、第１分解能に相当する）：６００×変倍率ｄｐｉを設定する。
すなわち、ＣＰＵ１０は、等倍読取を行う場合の表面読取分解能である６００ｄｐｉを変倍率で乗じた分解能を表面読取分解能：６００×変倍率ｄｐｉを設定する。
【００８９】
例えば、変倍率が１／２（５０％）である場合、ＣＰＵ１０は、表面読取分解能を３００（＝６００×（１／２））ｄｐｉに設定する。
ここで、この処理例では、変倍率の範囲が５０〜１００％であるから、表面読取分解能を３００〜６００ｄｐｉの範囲で設定する。
また、裏面読取分解能（第２分解能に相当する）は６００ｄｐｉに固定している。
そして、ステップ１２７へ進む
一方、ステップ１２３の判断で、読取開始入力前に操作表示部７から変倍入力が行われていない場合（Ｎの場合）、ステップ１３１で、ＣＰＵ１０は、等倍読取を行う場合の読取線速である３００ｍｍ／ｓｅｃを読取線速に設定し、ステップ１３２へ進む。
ステップ１３２で、ＣＰＵ１０は、等倍読取を行う場合の裏面読取ライン周期である１４１μｓｅｃを裏面読取ライン周期に設定し、ステップ１３３へ進む。
【００９０】
ステップ１３３で、ＣＰＵ１０は、等倍読取を行う場合の表面読取分解能である６００ｄｐｉを表面読取分解能に設定する。
また、裏面読取分解能は６００ｄｐｉに固定している。
そして、ステップ１２７へ進む。
上述の各処理で各種パラメータの設定が終了し、ＣＰＵ１０が駆動モータの制御を開始すると、ステップ１２７で、原稿搬送機構４３は、ＣＰＵ１０によって設定された読取線速で原稿の搬送を開始し、ステップ１２８へ進む。
ステップ１２８で、ＣＰＵ１０は原稿の読み取りを開始して、画像読取装置１０２のＣＣＤイメージセンサ２により、ＣＰＵ１０によって設定された表面読取ライン周期及び表面読取分解能を含む各種パラメータに従って、原稿搬送機構４３によって搬送された原稿の表面の画像データを読み取り、ＣＩＳ３により、ＣＰＵ１０によって設定された電子シャッタＤｕｔｙ及び裏面読取ライン周期を含む各種パラメータに従って、原稿搬送機構４３によって搬送された原稿の裏面の画像データを読み取り、ステップ１２９へ進む。
【００９１】
図１２は、図１１に示す処理において等倍読取を行う場合にＣＩＳ３と入力画像処理部１６との間でやり取りされる信号の一例を示すタイミングチャート図である。
図１２に示す例では、ＣＩＳ３は、図１２の（ａ）に示した画素クロック信号ＶＣＬＫに基づいて、図１２の（ｂ）に示すように、１ライン周期である裏面読取ライン周期：１４１μｓｅｃ毎にライン同期信号ＸＬＳＹＮＣの図中矢示Ａを生成して入力画像処理部１６に出力する。
また、図１２の（ｃ）に示すように、ランプ点灯信号ＬＥＤ＿ＯＮは、画像読取期間の間、入力画像処理部１６に出力されている。
さらに、図１２の（ｄ）に示すように、ＣＩＳ３は、ライン同期信号ＸＬＳＹＮと同期して、電子シャッタの解除を示す電子シャッタ制御信号ＳＥＮＳ＿ＯＮを生成し、電子シャッタＤｕｔｙで設定されたＴａｄｊ（μｓｅｃ）の間、入力画像処理部１６に出力する。
【００９２】
また、図１２の（ｅ）に示すように、ＣＩＳ３は、裏面読取ライン周期内で画像信号ＶｉＤＥＯ＿ＤＡＴＡを入力画像処理部１６に出力している。
つまり、図１２に示す例では、ＣＩＳ３は、１４１μｓｅｃ毎に原稿の裏面の１ライン分の画像データの読み取りを開始すると共に、Ｔａｄｊ（μｓｅｃ）の期間電子シャッタを解除して光を蓄積する。
そして、ＣＩＳ３は、１４１μｓｅｃの期間内で、原稿の裏面の１ライン分の画像データを読み取って（図中の有効画像データ）入力画像処理部１６に出力する。キセノンランプは、画像読取期間の間点灯されている。
【００９３】
図１３は、図１１に示す処理において１／２の変倍率で変倍読取を行う場合にＣＩＳ３と入力画像処理部１６との間でやり取りされる信号の一例を示すタイミングチャート図である。
図１３に示す例では、ＣＩＳ３は、図１３の（ａ）に示した画素クロック信号ＶＣＬＫに基づいて、図１３の（ｂ）に示すように、１ライン周期である裏面読取ライン周期：７０．５μｓｅｃ毎にライン同期信号ＸＬＳＹＮＣの図中矢示Ｂを生成して入力画像処理部１６に出力する。
また、図１３の（ｃ）に示すように、ランプ点灯信号ＬＥＤ＿ＯＮは、画像読取期間の間、入力画像処理部１６に出力されている。
【００９４】
さらに、図１３の（ｄ）に示すように、ＣＩＳ３は、ライン同期信号ＸＬＳＹＮと同期して、電子シャッタの解除を示す電子シャッタ制御信号ＳＥＮＳ＿ＯＮを生成し、電子シャッタＤｕｔｙで設定されたＴａｄｊ（μｓｅｃ）の間、入力画像処理部１６に出力する。
また、図１３の（ｅ）に示すように、ＣＩＳ３は、裏面読取ライン周期内で画像信号ＶｉＤＥＯ＿ＤＡＴＡを入力画像処理部１６に出力している。
つまり、図１３に示す例では、ＣＩＳ３は、７０．５μｓｅｃ毎に原稿の裏面の１ライン分の画像データの読み取りを開始すると共に、Ｔａｄｊ（μｓｅｃ）の期間電子シャッタを解除して光を蓄積する。
【００９５】
そして、ＣＩＳ３は、７０．５μｓｅｃの期間内で、原稿の裏面の１ライン分の画像データを読み取って（図中の有効画像データ）入力画像処理部１６に出力する。キセノンランプは、画像読取期間の間点灯されている。
なお、図１３に示す例の場合、ＣＣＤイメージセンサ２によって読み取られた原稿の表面の１ライン分の画像データは、原稿の副走査方向に機械的に５０％（分解能：３００ｄｐｉ）への変倍が行われているが、ＣＩＳ３によって読み取られた原稿の裏面の画像データは変倍が行われていない。
そのため、入力画像処理部１６は、ＣＩＳ３から原稿の裏面の画像データが転送されると、副走査方向に電気的に５０％（分解能：３００ｄｐｉ）への変倍を行う。
【００９６】
次に、図１１に戻り、ステップ１２９で、画像読取装置１０２のＣＰＵ１０は、原稿の表面の全ライン分の画像データの読み取りと、原稿の裏面の全ライン分の画像データを読み取りを終了すると、原稿の読み取りを終了し、ステップ１３０へ進む。
ステップ１３０で、ＣＰＵ１０は、駆動モータの制御を終了して原稿搬送機構４３による原稿の搬送を終了し、この両面読取処理を終了する。
このようにして、実施例６の画像形成装置でも、分解能が固定されている場合であっても、縮小率に応じて読取線速を速くすると共に、縮小率に応じて読取ライン周期を短くして、電気的に変倍を行うので、原稿の読み取り速度の低下、及び生産性の低下を防止でき、機械的な変倍を行う場合と同様の生産性を保つことができる。
【００９７】
また、ＣＩＳ３の電子シャッタ機能の設定を読取ライン周期の下限値以下に制御しているため、読取ライン周期を変倍率に応じて変更しても光蓄積時間を一定に保つことができ、読取特性の変化、及び画像品質の劣化を防止することができる。
さらに、表面と裏面のＳ／Ｎ特性を同等に調整しているため、画像品質の安定化を行うことができる。
なお、光源４４のキセノンランプは、画像読取装置１０２の読取性能であるＳ／Ｎ特性を満足するのに必要な照度を有する照明系の設計がなされているものとする。
【００９８】
〔実施例７〕
次に、実施例７の画像形成装置１００を説明する。
実施例７の画像形成装置１００では、実施例１〜４の画像形成装置１００で示した機能を適宜組み合わせると共に、そのＬＥＤの点灯制御に代えて、上述したＣＩＳ３の電子シャッタを制御するようにする。
例えば、実施例１と実施例３と実施例５の画像形成装置１００の機能を組み合わせれば、ＣＩＳ３の電子シャッタを制御する場合に、片面読取又は両面読取を行う場合に生産性を優先するか、再利用性を優先するかを選択することができる。
【００９９】
実施例１〜７の効果を列挙する。
（１）原稿の両面を同時に読取ることが可能な読取装置において、読取分解能を変更することが不可能な読取手段の読取特性を変化させることなく読取周期の変更を可能とすることで、固定の分解能を保ちながらメカ変倍に対応した読取周期に対応させ、表面と裏面の読取特性の差異を検出し、その差異を低減することにより、特性の安定化が可能になる。
（２）センサの光蓄積時間をセンサの読取ライン周期可変範囲の下限値以下の範囲内で調整して、表面と裏面のＳ／Ｎ特性の差異を低減することにより、裏面の読取周期の可変による読取特性の変動及び表面と裏面の読取特性の差異を低減し安定化することが可能になる。
（３）光源の点灯Ｄｕｔｙを制御することにより、センサの光蓄積時間が一定となるようにし、読取周期の可変や表面との差異による読取特性への影響を防ぐことが可能になる。
【０１００】
（４）光源の点灯Ｄｕｔｙの制御を、ラインセンサの読取同期信号と同期させることにより、光蓄積時間の制御を容易にし、読取特性の安定化を図ることが可能になる。
（５）センサの光蓄積時間を直接制御することにより、読取特性の安定化を図ることが可能になる。
（６）裏面のライン周期を可変することにより、分解能を変更することなく、変倍率に応じた搬送速度で原稿を搬送することが可能になり、生産性の向上を図ることが可能になる。
（７）電気的に変倍する変倍手段を更に備えることにより、生産性の向上と任意の変倍に対応することが可能になる。
（８）画像読取装置の使用目的に応じて画像データを読み取り条件を変更することが可能になる。
【０１０１】
（９）画像読取装置又は画像形成装置を、生産性又は再利用性のどちらかを優先して使用することが可能になる。
（１０）画像読取装置又は画像形成装置を、アプリケーションによって生産性又は再利用性のどちらかを優先して使用することが可能になる。
（１１）画像読取装置又は画像形成装置を、片面読取時又は両面読取時によって、生産性又は再利用性のどちらかを優先して使用することが可能になる。
（１２）デジタル複写機、デジタル複合機、スキャナ、ＦＡＸ等の画像形成装置において提供が可能になる。
（１３）生産性を優先させるか、再利用性を優先させるかの選択を操作表示部から入力できるようにすることにより、使用者の操作性の向上を図ることが可能になる。
【産業上の利用可能性】
【０１０２】
この発明による画像読取装置と画像形成装置は、スキャナ、ファクシミリ装置、プリンタ、複写機、及び複合機において適用することができる。
【符号の説明】
【０１０３】
１：画像処理部    ２：ＣＣＤイメージセンサ    ３：ＣＩＳ    ４：コントローラ    ５：出力画像処理部    ６：ＬＤドライバ    ７：操作表示部    １０、２０：ＣＰＵ    １１：ＣＰＵメモリ    １２、１３：データ変換部    １４：メモリ    １５：メモリ制御部    １６：入力画像処理部    １７：Ｓ／Ｎ検出部    ２１：画像コントローラ    ２２：Ｉ／Ｏコントローラ    ３０：スリットガラス    ３１：コンタクトガラス    ３２：基準白板    ３３：ランプ    ３４：第１ミラー    ３５：第１キャリッジ    ３６：第２ミラー    ３７：第３ミラー    ３８：第２キャリッジ    ３９：レンズユニット    ４０：原稿トレイ    ４１：基準白色ローラ    ４２：排紙トレイ    ４３：原稿搬送機構    ４４：光源    １００：画像形成装置    １０１：ＡＤＦ    １０２：画像読取装置    １０３：本体装置    １０４：露光装置
【先行技術文献】
【特許文献】
【０１０４】
【特許文献１】特開２００５−２１７５６１号公報
【特許文献２】特開２００９−０３３７２３号公報
【図１】
0005533230.tif 000002
【図２】
0005533230.tif 000003
【図３】
0005533230.tif 000004
【図４】
0005533230.tif 000005
【図５】
0005533230.tif 000006
【図６】
0005533230.tif 000007
【図７】
0005533230.tif 000008
【図８】
0005533230.tif 000009
【図９】
0005533230.tif 000010
【図１０】
0005533230.tif 000011
【図１１】
0005533230.tif 000012
【図１２】
0005533230.tif 000013
【図１３】
0005533230.tif 000014